(57)【要約】使用者に清涼効果／加温効果をもたらす物品が開示される。前記物品は無機質塩と、清涼効果／加温効果を有する活性物質とを含む組成物を含有する担持体を含む。【選択図】図１
2011529358.tif 000002
【特許請求の範囲】
【請求項１】
無機質塩と清涼／加温効果を有する活性物質とを含む組成物を含有する担持体を含む、使用者に清涼／加温効果をもたらす物品。
【請求項２】
前記担持体が使用者皮膚と接触しないように、前記担持体が前記組成物を含有するバッグ
または容器であることを特徴とする、請求項１に記載の物品。
【請求項３】
前記バッグが動物由来でない天然繊維の織物または不織布で製造されていることを特徴とする、請求項２に記載の物品。
【請求項４】
前記バッグがセルロース繊維の不織布で製造されていることを特徴とする、請求項３に記載の物品。
【請求項５】
前記バッグが合成繊維の外部容器に含有されていることを特徴とする、請求項３に記載の
物品。
【請求項６】
前記担持体が前記組成物を組み込むシートで構成されるものであって、前記担持体の少なくとも使用者の皮膚に面する側が、前記組成物を組み込まないコーティング層で被覆されていることを特徴とする、請求項１に記載の物品。
【請求項７】
前記担持体が再生皮革で製造され、前記組成物が該皮革の混抄中に混合されていることを特徴とする、請求項６に記載の物品。
【請求項８】
物品が靴用中敷きである事を特徴とする、請求項６または７に記載の物品。
【請求項９】
前記担持体が、前記組成物を混合手段によって組み込むポリエステルで製造されている
ことを特徴とする、請求項６に記載の物品。
【請求項１０】
前記担持体が、前記組成物をスプレー手段によって組み込む１００％綿織物で製造されていることを特徴とする、請求項６に記載の物品。
【請求項１１】
前記組成物の前記塩が次の、ナトリウム塩、カリウム塩、およびマグネシウム塩、詳細には、塩化ナトリウム、塩化カリウム、塩化マグネシウム、無水硫酸ナトリウム、無水硫酸カリウム、
硫酸マグネシウム・７水和物の中の１種以上を含むことを特徴とする、請求項１〜１０のいずれか１項に記載の物品。
【請求項１２】
前記組成物の清涼効果を有する前記活性物質がメントール（ＣＡＳ番号８９−７８−１）であることを特徴とする、請求項１〜１１のいずれか１項に記載の物品。
【請求項１３】
前記組成物が、塩成分を該組成物の重量に対して２５〜７５％の濃度で、および活性物
質を該組成物の重量に対して２．５〜２５％の濃度で有することを特徴とする、請求項１２に記載の物
品。
【請求項１４】
前記組成物が更に、カンファーおよび／または精油を該組成物の重量に対して５〜９５％
の濃度で含むことを特徴とする、請求項１２または１３に記載の物品。
【請求項１５】
前記組成物が更に、タルクまたは焼成シリカから成る無機質調整剤を該組成物の重量に対して５〜１５％の濃度で含むことを特徴とする、請求項１２〜１４のいずれか１項に記載の物品。
【請求項１６】
前記組成物の加温効果を有する前記活性物質が、ニコチン酸メチル（ＣＡＳ番号９３−
６０−７）であることを特徴とする、請求項１〜１１のいずれか１項に記載の物品。
【請求項１７】
前記組成物が、塩成分を該組成物の重量に対して４５〜８５％の濃度で、かつ活性物
質を該組成物の重量に対して２．５〜１０％の濃度で有することを特徴とする、請求項１６に記載の物
品。
【請求項１８】
前記組成物が更に、トウガラシ粉末を該組成物の重量に対して２．５〜１０％の濃度で含むことを特徴とする、請求項１６または１７に記載の物品。
【請求項１９】
前記組成物が更に、粉末硫黄から成る無機質調整剤を該組成物の重量に対して５〜１５％の濃度で含むことを特徴とする、請求項１６〜１８のいずれか１項に記載の物品。
【発明の詳細な説明】
【技術分野】
【０００１】
工業的発明に関する本特許出願は、暑季または寒季に使用される、清涼効果または加温効果を有する物品に関する。詳細には、本発明は靴の中敷に関するが、そのものは  例えば衣類物品またはシートカバーなどのその他のいかなる物品に適用できることが理解される。
【背景技術】
【０００２】
暑季には、幾つかの身体部位、特に足等の発汗を受けやすい部位に関連したに部位においては清涼感があると好評である。一方、寒季には使用者は幾つかの身体部位を加温する必要性を感じる。
【０００３】
クリーム、ローション、バルサム、スプレー等の形態の製品であって、皮膚に直接適用して、直接接触した皮膚に清涼感または温熱感を生成させるものは既知である。これら製品の有効性はそれらに含まれる活性物質の濃度に関連するが、過剰の濃度は火傷を生じ皮膚発疹を引き起こす可能性があることに留意する。いずれにしても、これらの製品によってもたらされる清涼効果または加温効果には時間的制限がある。
【発明の概要】
【発明が解決しようとする課題】
【０００４】
本発明の目的は、活性物質が皮膚と接触するのを防止し、清涼効果または加温効果を有する物品を発明することによってそれらの技術的欠点を解消することである。
【０００５】
本発明の別の目的は、清涼効果または加温効果の有効性、効率並びに長い持続期間を特徴とする清涼感または
加温効果を有する物品を発明することである。
【０００６】
本発明の別の目的は、靴、衣料品、およびカバーへの利用が可能である多用途性という性質を持っていることができる清涼効果または加温効果を有するような物品であって、安価で簡単に製造できるものを発明することである。
【課題を解決するための手段】
【０００７】
これらの目的は、独立して付属する請求項１に示される特徴を有する本発明によって達成される。
【０００８】
本発明の好都合な実施形態は、独立した請求項を基に開示される。
【０００９】
着用して清涼効果または加温効果がもたらされる本発明による物品は、冷感または温感を発生させるに好適な組成物を含有する担持体を含む。
【００１０】
その組成物は、冷感を発生させるのに好適な活性物質または温感を発生させるのに好適な活性物質を混合した無機質塩類を含む。
【００１１】
その担持体は、組成物が皮膚と直接接触しないように、組成物を含有するバッグを形成する状態に密閉したシート材料で構成できる。有利なことに、担持体に組成物を浸漬し、使用者と接触する状態になるように設計された担持体の少なくとも一部分を好適な材料で被覆できる。この溶液は靴用の中敷きに利用する場合に有利であり、その場合、担持体は、前記溶液で浸漬される再生皮革または織物で製造され、かつ組成物を有しない再生皮革または織物の層がフットプラント（ｆｏｏｔ  ｐｌａｎｔ）と接触する状態になるようにするために結合される。
【００１２】
本発明の更なる特徴は、以下の詳細な説明から明らかになるように思えるが、説明は単に例示を示す実施形態であり、限定的なものではない。
【図面の簡単な説明】
【００１３】
【図１】本発明による加温効果または清涼効果をもたらす靴中敷の平面図。
【図２】図１のＩＩ−ＩＩの面に沿った断面図。
【発明を実施するための形態】
【００１４】
以下の説明は清涼効果をもたらす物品の組成物配合の幾つかの例である。
【００１５】
その組成物は塩および清涼効果を有する活性物質の混合物で構成される。
【００１６】
天然メントール（ＣＡＳ番号８９−７８−１）は、清涼効果を有した最適な活性物質であると判明したが、一方、市場で入手可能なラクテートのようなその誘導体は、融点が低く皮膚温度で液体に転換するために不適切であると判明した。  
【００１７】
可能な相乗効果を探索するために、メントールと、ユーカリプトール、ヒノキ、ローズマリー、パインを含有するバルサム精油並びにラベンダー、レモン、およびベルガモットを含有する新鮮な精油との混合物を研究した。同様に、メントールとカンファーとの混合物を研究した。塩組成物を、簡単に見つけられるという理由と、弱い吸湿性、他の成分に対する化学的不活性、および支持体との組み合わせにおける安定性とを基準にして選定した。塩化ナトリウム（食塩）、塩化カリウム、無水硫酸ナトリウム、無水硫酸カリウム、および硫酸マグネシウム・７水和物が好適であると判明した。硫酸カルシウム・２水和物（チョーク）は、凝塊物および混合の問題を生み出す。２モルよりも多い水と水和した、硫酸ナトリウムおよび硫酸カリウムは、潮解の問題を生じた。前記潮解の問題はまた、塩化マグネシウムおよび塩化カルシウムの、無水物並びに水和物の両方に関しても生じた。
【００１８】
塩成分の濃度は組成物重量の２５％〜７５％の範囲であり、活性物質の濃度は組成物重量の２．５％〜
２５％の範囲であり、精油および／またはカンファーの濃度は組成物重量の２．５％〜２５％の範囲である。
【００１９】
組成物は、成分の精密な物理的混合によって得た。メントールがいずれ添加されるエッセンスに完全に溶解することを考慮すると、混合を流動性の結晶性粉末が得られるまで継続する必要がある。活性物質を適切な溶媒に溶解して提供することによって物理的混合を無くす試みは否定的な結果を生じた。
【００２０】
得られた混合物は、塩と活性物質を有する精油との相溶性が優れているだけでなく、安定性も優れていると判明した。
【００２１】
以下のものは清涼用組成物の幾つかの実施例（重量パーセントで表記）である。
【実施例１】
【００２２】
2011529358.tif 000003
【実施例２】
【００２３】
2011529358.tif 000004
【実施例３】
【００２４】
2011529358.tif 000005
【実施例４】
【００２５】
2011529358.tif 000006
【実施例５】
【００２６】
2011529358.tif 000007
【実施例６】
【００２７】
2011529358.tif 000008
【実施例７】
【００２８】
2011529358.tif 000009
【００２９】
実施例には示してないが、組成物は清涼感の強度および持続性を調整するために無機質調整剤を含むこともできる。前記無機質調整剤は通気性タルクまたは焼成シリカであり、それらは商標名アエロジルＴＭ（Ａｅｒｏｓｉｌ）またはレビライトＴＭ（Ｌｅｖｉｌｉｔｅ）で市場に出ている。無機質調整剤は組成物重量の５〜１５％の範囲の濃度で添加される。
【００３０】
以下は加温効果を有する物品の組成物配合に関する幾つかの実施例の説明である。
【００３１】
その組成物は塩類と加温効果を有する活性物質との混合物状態で存在する。
【００３２】
最も好適であると判明している加温効果を有する活性物質は、ニコチン酸メチル（ＣＡＳ番号９３−６０
−７）である。
【００３３】
その他のニコチネート類、詳細にはニコチン酸ベンジルは、信頼できる応答を示さず、低融点に起因する分散性および炎症性という幾つかの問題をもたらす。実際にこれらのニコチネートは皮膚温度で液体に転換する。
【００３４】
この場合では、清涼効果を有する組成物に使用したのと同一の塩成分を使用していた。
【００３５】
加温効果の強度と持続性を調整するために無機質を加温効果がある組成物中に添加する。最良の結果を与えた無機質はコロイド硫黄粉末であり、コロイド硫黄粉末剤は、吸収性効果に起因する温覚の発生における調整剤として作用し、同時に効果増強剤として作用しているように思われる。
【００３６】
塩成分の濃度は組成物重量中４５〜８５％であり、加温効果を有する活性物質の濃度は組成物重量中
２．５〜１０％であり、無機質調整剤は組成物重量中５〜１５％である。
【００３７】
この場合でも同様に、種々の成分の物理的混合は希釈剤を使用しないで行われる。
【００３８】
得られた混合物の安定性は優れていると判明し、かつ塩類および無機質調整剤と活性物質との相溶性も優れていると判明した。
【００３９】
以下のものは加温用組成物の幾つかの実施例（重量パーセントで表記）である。
実施例１
2011529358.tif 000010
実施例２
2011529358.tif 000011
実施例３
2011529358.tif 000012
実施例４
2011529358.tif 000013
実施例５
2011529358.tif 000014
実施例６
2011529358.tif 000015
【００４０】
組成物への熱移動の相乗効果を得る目的で、粉末トウガラシ（ホットペッパー）を、組成物重量中２．５
〜１０％の範囲の濃度で添加した。
【００４１】
本発明の第一の実施形態によれば、前述の実施例で得られた清涼／加温組成物を容器内またはバッグ内に配置する。
【００４２】
バッグは、好ましくは天然繊維（綿、亜麻、黄麻、麻、セルロース等）の織物または不織布で製造される。
【００４３】
合成繊維（ポリアミド類、ポリサッカライド類、およびポリエチレン）のバッグを使用する多くの試験では、接触部位での炎症および低効能が原因の否定的な結果が得られた。
【００４４】
最良の結果はセルロース繊維製バッグを使用して得られた。驚いたことに、組成物を含有したセルロース繊維製バッグを合成繊維製の外部容器内に配置（すなわち、組成物を含有したセルロース繊維製バッグを担持体として働く伸縮化繊維  （ｅｌａｓｔｉｃａｔｅｄ  ｆｉｂｒｅ）  のカラーの内側に配置）した場合、否定的な結果が無いことが見出された。
【００４５】
動物由来のその他の天然繊維（例えば、ウールおよびシルク）製バッグは、否定的な結果を与え、予測不能な結果および／または信頼性のある再現性が無い結果を与えた。それら繊維の蛋白質構造のためである。同様に、天然皮革またはナッパ皮革は否定的な結果を与えた。
【００４６】
驚いたことに、再生皮革はセルロース繊維と同じ挙動を示し、良い結果を与えた。
【００４７】
上記の考察により本発明の第二の実施形態がもたらされ、それにおいては、タンク中で再生皮革シートを得るために使用される成分と組成物とを一緒に添加することにより、組成物は再生皮革シートを製造するための混合物中に直接組み込まれる。
【００４８】
本発明の組成物の１種を組み込む再生皮革の担持体は、その組成物を含有するバッグよりも僅かに低い清涼効果または加温効果を示した。このような挙動は再生皮革に使用される結合剤の中に含有されるセルロース接着剤の存在によると説明される。
【００４９】
本発明の組成物を含有する再生皮革の前記担持体の上に、組成物の皮膚との直接接触を防止する目的で使
用者の皮膚と接触するように意図されている、組成物が無い再生皮革の薄層を塗布する。
【００５０】
このような解決策は靴用の中敷の実現に特に好適であり、そのようなものは図１および２に例示され、全般的に数字（１）で表示される。
【００５１】
中敷き（１）は、下層（２）、中間層（３）、および上層（４）の３層でできている。  
【００５２】
下層（２）はラテックス、ポリエチレン、ポリエステル、テキソン（ｔｅｘｏｎ）、皮革、ＥＶＡ、フェルト、ポリウレタン、発泡ゴムで製造される。下層（２）の厚さは１〜３ｃｍである。
【００５３】
中間層（３）は、再生皮革または本発明の清涼性組成物もしくは加温組成物で浸漬された織物で製造される。中間層（３）の厚さは０．５〜１．５ｍｍである。
【００５４】
上層（４）は再生皮革、皮革、合成材料または織物で製造でき、中間層（３）中に含有されている組成物がフットプラントと直接接触するようになる事を防止する。上層（４）の厚さは０．２〜５ｍｍである。
【００５５】
３層（２，３，４）は、通常のニカワまたは水系ラテックスで結合される。
【００５６】
多層を有する中敷、例えばスポーツシューズ、アーチ支持体を有する靴、および著しく高いヒールを有する婦人靴など用には、組成物を浸漬された皮革または織物の層は、異なった厚さおよび硬度を有してよい。幾つかの層は、組成物が皮膚と接触しないで、織物、皮革、または合成材料の別の層と接触する限りにおいて、皮革または織物以外の材料製であってもよい。
【００５７】
靴用中敷に加えて、種々の適用例、例えばシートカバーおよびブーツだけでなく、ストラップおよびリストバンド、肩甲骨下の部位用のストラップまたはバンド、ヘッドバンドが、そのような溶液を用いて実現された。
【００５８】
第二の実施形態の第一の変形によれば、その担持体は、混合手段によって前記組成物を組み込むポリエステルで製造することができる。
【００５９】
第二の実施形態の第二の変形によれば、その担持体は、前記組成物をスプレー手段によって中に組み込む綿織物１００％で製造することができる。
【００６０】
本発明の本実施形態に対して、多数の変形および改変が該分野の専門家により実施できるが、それらはまた、添付の特許請求の範囲にて請求した本発明の範囲内にある。
【図１】
2011529358.tif 000016
【図２】
2011529358.tif 000017
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
互いにニカワまたは水系ラテックスで固着された、下層（２）と、中間層（３）と、上層（４）
とを含む靴用中敷であって、前記中間層（３）は０．５〜１．５ｍｍの厚さを有し、かつ、
−無機塩と、
−清涼／加温効果を有する活性物質であって、該の清涼活性物質がメントール（ＣＡＳ番号８９−７８
−１）を含み、該の加温活性物質がニコチン酸メチル（ＣＡＳ番号９３−６０−７）を含む、活性物質と、
−カンファーおよび／または精油
とを含む組成物を含有する、再生皮革または浸漬された織物で製造され、前記上層は、０．２〜５ｍｍの厚さを有し、中間層（３）に含有される組成物がフットプラントと直接接触するようになることを防止する中敷。  
【請求項２】
前記中間層（３）が、前記組成物をスプレー手段によって組み込まれる１００％綿織物で製造されていること特徴とする、請求項１に記載の中敷。  
【請求項３】
前記中間層が再生皮革で製造され、前記組成物が該皮革の混抄中に混合されていること
を特徴とする、請求項１に記載の中敷。  
【請求項４】
前記上層（４）が再生皮革、皮革、合成材料または合成繊維で製造されていることを特徴と
する、請求項１〜３のいずれか１項に記載の中敷。  
【請求項５】
前記下層（２）がラテックス、ポリエチレン、ポリエステル、テキソン、皮革、ＥＶＡ、
フェルト、ポリウレタン、発泡ゴムで製造されていることを特徴とする、請求項１〜４のいずれか１項に
記載の中敷。
【請求項６】
前記組成物の前記塩が塩化ナトリウム塩を含むことを特徴とする、請求項１〜５のいずれ
か１項に記載の中敷。  
【請求項７】
前記組成物が、塩成分を該組成物の重量に対して２５〜７５％の濃度で、および活性物質
を該組成物の重量に対して２．５〜２５％の濃度で有することを特徴とする、請求項１〜６のいずれか
１項に記載の中敷。  
【請求項８】
前記組成物が更に、タルクまたは焼成シリカまたは硫黄粉末からなる無機質調整剤を該組成
物の重量に対して５〜１５％の濃度で含むことを特徴とする、請求項１〜７のいずれか１項に記載の中敷。  
【請求項９】
前記組成物が更に、トウガラシ粉末を該組成物の重量に対して２．５〜１０％の濃度で含むことを特徴とする、請求項１〜８のいずれか１項に記載の中敷。
【手続補正２】
【補正対象書類名】明細書
【補正対象項目名】全文
【補正方法】変更
【補正の内容】
【書類名】明細書
【発明の名称】使用者に清涼効果または加温効果をもたらす物品
【技術分野】
【０００１】
工業的発明に関する本特許出願は、暑季または寒季に使用される、清涼効果または加温効果を有する物品に関する。詳細には、本発明は靴の中敷に関するが、そのものは  例えば衣類物品またはシートカバーなどのその他のいかなる物品に適用できることが理解される。
【背景技術】
【０００３】
暑季には、幾つかの身体部位、特に足等の発汗を受けやすい部位に関連したに部位においては清涼感があると好評である。一方、寒季には使用者は幾つかの身体部位を加温する必要性を感じる。
【０００４】
クリーム、ローション、バルサム、スプレー等の形態の製品であって、皮膚に直接適用して、直接接触した皮膚に清涼感または温熱感を生成させるものは既知である。これら製品の有効性はそれらに含まれる活性物質の濃度に関連するが、過剰の濃度は火傷を生じ皮膚発疹を引き起こす可能性があることに留意する。いずれにしても、これらの製品によってもたらされる清涼効果または加温効果には時間的制限がある。
【０００６】
特許文献１には、隔離層、反応性コア材、および複数の取り外し可能層を含み、可変性の加熱制御を有する
温熱治療パッドが開示される。
特許文献２には、塩、メントール、およびカンファーを含む寒冷治療用溶液が開示される。
【先行技術文献】
【特許文献】
【特許文献１】米国公開特許２００４／０１１６９９号
【特許文献２】仏国特許第２６５８４１５号
【発明の概要】
【発明が解決しようとする課題】
【０００６】  
本発明の目的は、活性物質が皮膚と接触するのを防止し、清涼効果または加温効果を有する物品を発明することによってそれらの技術的欠点を解消することである。
【０００７】
本発明の別の目的は、清涼効果または加温効果の有効性、効率並びに長い持続期間を特徴とする清涼感または加温効果を有する物品を発明することである。
【０００７】
本発明の別の目的は、靴、衣料品、およびカバーへの利用が可能である多用途性という性質を持っていることができる清涼効果または加温効果を有するような物品であって、安価で簡単に製造できるものを発明することである。
【課題を解決するための手段】
【０００８】
これらの目的は、独立して付属する請求項１に示される特徴を有する本発明によって達成される。
【０００８】
本発明の好都合な実施形態は、独立した請求項を基に開示される。
【０００９】
着用して清涼効果または加温効果がもたらされる本発明による物品は、冷感または温感を発生させるに好適な組成物を含有する担持体を含む。
【００１０】
その組成物は、冷感を発生させるのに好適な活性物質または温感を発生させるのに好適な活性物質を混合した無機質塩類を含む。
【００１１】
その担持体は、組成物が皮膚と直接接触しないように、組成物を含有するバッグを形成する状態に密閉したシート材料で構成できる。有利なことに、担持体に組成物を浸漬し、使用者と接触する状態になるように設計された担持体の少なくとも一部分を好適な材料で被覆できる。この溶液は靴用の中敷きに利用する場合に有利であり、その場合、担持体は、前記溶液で浸漬される再生皮革または織物で製造され、かつ組成物を有しない再生皮革または織物の層がフットプラント（ｆｏｏｔ  ｐｌａｎｔ）と接触する状態になるようにするために結合される。
【００１３】
本発明の更なる特徴は、以下の詳細な説明から明らかになるように思えるが、説明は単に例示を示す実施形態であり、限定的なものではない。
【図面の簡単な説明】
【図１】本発明による加温効果または清涼効果をもたらす靴中敷の平面図。
【図２】図１のＩＩ−ＩＩの面に沿った断面図。
【発明を実施するための形態】
【００１４】
以下の説明は清涼効果をもたらす物品の組成物配合の幾つかの例である。
【００１４】
その組成物は塩および清涼効果を有する活性物質の混合物で構成される。
【００１５】
天然メントール（ＣＡＳ番号８９−７８−１）は、清涼効果を有した最適な活性物質であると判明したが、一方、市場で入手可能なラクテートのようなその誘導体は、融点が低く皮膚温度で液体に転換するために不適切であると判明した。  
【００１６】
可能な相乗効果を探索するために、メントールと、ユーカリプトール、ヒノキ、ローズマリー、パインを含有するバルサム精油並びにラベンダー、レモン、およびベルガモットを含有する新鮮な精油との混合物を研究した。同様に、メントールとカンファーとの混合物を研究した。塩組成物を、簡単に見つけられるという理由と、弱い吸湿性、他の成分に対する化学的不活性、および支持体との組み合わせにおける安定性とを基準にして選定した。塩化ナトリウム（食塩）、塩化カリウム、無水硫酸ナトリウム、無水硫酸カリウム、および硫酸マグネシウム・７水和物が好適であると判明した。硫酸カルシウム・２水和物（チョーク）は、凝塊物および混合の問題を生み出す。２モルよりも多い水と水和した、硫酸ナトリウムおよび硫酸カリウムは、潮解の問題を生じた。前記潮解の問題はまた、塩化マグネシウムおよび塩化カルシウムの、無水物並びに水和物の両方に関しても生じた。
【００２３】
塩成分の濃度は組成物重量の２５％〜７５％の範囲であり、活性物質の濃度は組成物重量の２．５％〜
２５％の範囲であり、精油および／またはカンファーの濃度は組成物重量の２．５％〜２５％の範囲である。
【００２４】
組成物は、成分の精密な物理的混合によって得た。メントールがいずれ添加されるエッセンスに完全に溶解することを考慮すると、混合を流動性の結晶性粉末が得られるまで継続する必要がある。活性物質を適切な溶媒に溶解して提供することによって物理的混合を無くす試みは否定的な結果を生じた。
【００２７】
得られた混合物は、塩と活性物質を有する精油との相溶性が優れているだけでなく、安定性も優れていると判明した。
【００２８】
以下のものは清涼用組成物の幾つかの実施例（重量パーセントで表記）である。
【実施例１】
2011529358.tif 000018
【実施例２】
2011529358.tif 000019
【実施例３】
2011529358.tif 000020
【実施例４】
2011529358.tif 000021
【実施例５】
2011529358.tif 000022
【実施例６】
2011529358.tif 000023
【実施例７】
2011529358.tif 000024
【００２９】
実施例には示してないが、組成物は清涼感の強度および持続性を調整するために無機質調整剤を含むこともできる。前記無機質調整剤は通気性タルクまたは焼成シリカであり、それらは商標名アエロジルＴＭ（Ａｅｒｏｓｉｌ）またはレビライトＴＭ（Ｌｅｖｉｌｉｔｅ）で市場に出ている。無機質調整剤は組成物重量の５〜１５％の範囲の濃度で添加される。
【００３２】
以下は加温効果を有する物品の組成物配合に関する幾つかの実施例の説明である。
【００３３】
その組成物は塩類と加温効果を有する活性物質との混合物状態で存在する。
【００３４】
最も好適であると判明している加温効果を有する活性物質は、ニコチン酸メチル（ＣＡＳ番号９３−６０
−７）である。
【００３５】
その他のニコチネート類、詳細にはニコチン酸ベンジルは、信頼できる応答を示さず、低融点に起因する分散性および炎症性という幾つかの問題をもたらす。実際にこれらのニコチネートは皮膚温度で液体に転換する。
【００３６】
この場合では、清涼効果を有する組成物に使用したのと同一の塩成分を使用していた。
【００３７】
加温効果の強度と持続性を調整するために無機質を加温効果がある組成物中に添加する。最良の結果を与えた無機質はコロイド硫黄粉末であり、コロイド硫黄粉末剤は、吸収性効果に起因する温覚の発生における調整剤として作用し、同時に効果増強剤として作用しているように思われる。
【００３９】
塩成分の濃度は組成物重量中４５〜８５％であり、加温効果を有する活性物質の濃度は組成物重量中
２．５〜１０％であり、無機質調整剤は組成物重量中５〜１５％である。
【００４０】
この場合でも同様に、種々の成分の物理的混合は希釈剤を使用しないで行われる。
【００４１】
得られた混合物の安定性は優れていると判明し、かつ塩類および無機質調整剤と活性物質との相溶性も優れていると判明した。
【００４２】
以下のものは加温用組成物の幾つかの実施例（重量パーセントで表記）である。
実施例１
2011529358.tif 000025
実施例２
2011529358.tif 000026
実施例３
2011529358.tif 000027
実施例４
2011529358.tif 000028
実施例５
2011529358.tif 000029
実施例６
2011529358.tif 000030
【００４３】
組成物への熱移動の相乗効果を得る目的で、粉末トウガラシ（ホットペッパー）を、組成物重量中２．５
〜１０％の範囲の濃度で添加した。
【００４４】
本発明の第一の実施形態によれば、前述の実施例で得られた清涼／加温組成物を容器内またはバッグ内に配置する。
【００４５】
バッグは、好ましくは天然繊維（綿、亜麻、黄麻、麻、セルロース等）の織物または不織布で製造される。
【００４６】
合成繊維（ポリアミド類、ポリサッカライド類、およびポリエチレン）のバッグを使用する多くの試験では、接触部位での炎症および低効能が原因の否定的な結果が得られた。
【００４７】
最良の結果はセルロース繊維製バッグを使用して得られた。驚いたことに、組成物を含有したセルロース繊維製バッグを合成繊維製の外部容器内に配置（すなわち、組成物を含有したセルロース繊維製バッグを担持体として働く伸縮化繊維  （ｅｌａｓｔｉｃａｔｅｄ  ｆｉｂｒｅ）  のカラーの内側に配置）した場合、否定的な結果が無いことが見出された。
【００４９】
動物由来のその他の天然繊維（例えば、ウールおよびシルク）製バッグは、否定的な結果を与え、予測不能な結果および／または信頼性のある再現性が無い結果を与えた。それら繊維の蛋白質構造のためである。同様に、天然皮革またはナッパ皮革は否定的な結果を与えた。
【００５１】
驚いたことに、再生皮革はセルロース繊維と同じ挙動を示し、良い結果を与えた。
【００５２】
上記の考察により本発明の第二の実施形態がもたらされ、それにおいては、タンク中で再生皮革シートを得るために使用される成分と組成物とを一緒に添加することにより、組成物は再生皮革シートを製造するための混合物中に直接組み込まれる。
【００５３】
本発明の組成物の１種を組み込む再生皮革の担持体は、その組成物を含有するバッグよりも僅かに低い清涼効果または加温効果を示した。このような挙動は再生皮革に使用される結合剤の中に含有されるセルロース接着剤の存在によると説明される。
【００５５】
本発明の組成物を含有する再生皮革の前記担持体の上に、組成物の皮膚との直接接触を防止する目的で使
用者の皮膚と接触するように意図されている、組成物が無い再生皮革の薄層を塗布する。
【００５６】
このような解決策は靴用の中敷の実現に特に好適であり、そのようなものは図１および２に例示され、全般的に数字（１）で表示される。
【００５７】
中敷き（１）は、下層（２）、中間層（３）、および上層（４）の３層でできている。  
【００５８】
下層（２）はラテックス、ポリエチレン、ポリエステル、テキソン（ｔｅｘｏｎ）、皮革、ＥＶＡ、フェルト、ポリウレタン、発泡ゴムで製造される。下層（２）の厚さは１〜３ｃｍである。
【００５９】
中間層（３）は、再生皮革または本発明の清涼性組成物もしくは加温組成物で浸漬された織物で製造される。中間層（３）の厚さは０．５〜１．５ｍｍである。
【００６０】
上層（４）は再生皮革、皮革、合成材料または織物で製造でき、中間層（３）中に含有されている組成物がフットプラントと直接接触するようになる事を防止する。上層（４）の厚さは０．２〜５ｍｍである。
【００６１】
３層（２，３，４）は、通常のニカワまたは水系ラテックスで結合される。
【００６２】
多層を有する中敷、例えばスポーツシューズ、アーチ支持体を有する靴、および著しく高いヒールを有する婦人靴など用には、組成物を浸漬された皮革または織物の層は、異なった厚さおよび硬度を有してよい。幾つかの層は、組成物が皮膚と接触しないで、織物、皮革、または合成材料の別の層と接触する限りにおいて、皮革または織物以外の材料製であってもよい。
【００６４】
靴用中敷に加えて、種々の適用例、例えばシートカバーおよびブーツだけでなく、ストラップおよびリストバンド、肩甲骨下の部位用のストラップまたはバンド、ヘッドバンドが、そのような溶液を用いて実現された。
【００６５】
第二の実施形態の第一の変形によれば、その担持体は、混合手段によって前記組成物を組み込むポリエステルで製造することができる。
【００６６】
第二の実施形態の第二の変形によれば、その担持体は、前記組成物をスプレー手段によって中に組み込む綿織物１００％で製造することができる。
【００６７】
本発明の本実施形態に対して、多数の変形および改変が該分野の専門家により実施できるが、それらはまた、添付の特許請求の範囲にて請求した本発明の範囲内にある。
【国際調査報告】
2011529358.tif 000031
2011529358.tif 000032
2011529358.tif 000033